(57)【特許請求の範囲】
【請求項１】
箱形蓋体Ａと箱形底体Ｂと少なくとも当該箱形蓋体Ａの高さと当該箱形底体Ｂの高さを合計した長さを有する十字状の中枠Ｃのみからなり、前記中枠Ｃを前記箱形底体Ｂの内部に載置し、前記中枠Ｃの上部に前記箱形蓋体Ａを被せた構成からなる中枠を備えた箱形展示台であって、前記箱形蓋体Ａ及び箱形底体Ｂは、組み立てた状態が、上面板ないしは底面版と高さがそれぞれ異なる一対の前後側面板と端縁が前記前後側面板の端縁間を結んで斜めに形成された他の一対の左右側面板とを備えた同一形状であり、前記箱形蓋体Ａ及び箱形底体Ｂは、展開した状態が同一形状の１枚の基材であり、側面板１と側面板２と側面板３と側面板４と貼合板５とが折罫を介して連接され、側面板１および側面板３の上端には折り曲げ可能に端縁の中央部に切欠１１を備えた内折込板６，８がそれぞれ連接されると共に、側面板２および側面板４の上端には折り曲げ可能に端縁の中央部に差込片１０を備えた外折込板７，９ がそれぞれ連接され、側面板１と側面板３の下側端縁は斜めに形成されると共に折重ね片１ａと折重ね片３ａがそれぞれ連接され、側面板２と側面板４の下端には折重ね片２ａと折重ね片４ａがそれぞれ連接されており、この展開した状態の基材を、側面板１，２，３，４の下端にそれぞれ連接された折重ね片１ａ、２ａ、３ａ、４ａを内側に折り曲げてそれぞれ側面板１，２，３，４の内面に接着した後、側面板１と側面板２間および側面板３と側面板４間の折罫にてそれぞれ折り曲げて、貼合板５を側面板１の側端部に接着して、筒状に成形し、側面板１と側面板４間および側面板２と側面板３間の折罫にてそれぞれ折り曲げて４角形筒状に起こし、内折込板６，８を先ず内側に折り込み次いで外折込板７，９を内折込板６，８の上に折り重ねて、内折込板６，８の切欠１１に差込片１０を差し込んで組み立てることにより、前記側面板２と前記側面板４が前後側面板を形成し、前記側面板１と前記側面板３が前記左右側面板を形成し、前記外折込板７，９が上面板ないしは底面板を形成することを特徴とする中枠を備えた箱形展示台。
【請求項２】
前記中枠Ｃが、巾方向の中央部に上端縁もしくは下端縁のいずれか一方から上下方向の中央に達する狭巾で長い切欠１４が形成されると共に巾方向の中央部に上端縁及び下端縁から上下方向に伸びる広巾で短い切欠１５が形成されており、前記狭巾で長い切欠１４同志を嵌合させることにより前記板体を十字状に組み立てて、この十字状に組み立てられた中枠Ｃを前記箱形底体Ｂの内部に載置し、前記中枠Ｃの上部に前記箱形蓋体Ａを被せることにより、前記広巾で短い切欠１４に前記箱形蓋体Ａないしは前記箱形底体Ｂの差込片１０が収納されることを特徴とする請求項１に記載の中枠を備えた箱形展示台。
【発明の詳細な説明】
【０００１】
【発明の属する技術分野】
本発明は、商品を展示するために使用する箱形展示台に関する。
【０００２】
【従来の技術】
従来、箱形展示台としては、段ボール等からなる直方体状の箱体が使用されている。上記の箱体からなる展示台を使用して商品を展示するに際し、商品を展示する高さを変えたい場合には、高さの異なる箱体を使用するか、ないしは一定の高さの箱体を何段か積み重ねることにより高さを調節する方法で行われる。しかしながら、前者の場合には高さの異なる直方体状の箱体を何種類も準備しておく必要があり、その保管管理が煩雑になるという欠点があるし、後者の場合には箱体の高さの細かい調整が困難である上に、積み重ねると展示台の安定性に欠けるという欠点があった。また、通常の段ボール箱からなる箱体の場合には、箱体の座屈強度が劣るために重量の大きい商品を展示するのが困難であるという欠点があり、箱体の形状が直方体状の一定形状であるために、箱体の表面に印刷により絵柄を設けた場合でも単調な意匠となってしまい、展示効果の面においても優れたものではなかった。
【０００３】
【発明が解決しようとする課題】
本発明の目的は、高さの変更が容易であり、座屈強度が優れ、意匠性および展示効果の優れた中枠を備えた箱形展示台を提供することにある。
【０００４】
【課題を解決するための手段】
箱形蓋体Ａと箱形底体Ｂと少なくとも当該箱形蓋体Ａの高さと当該箱形底体Ｂの高さを合計した長さを有する十字状の中枠Ｃのみからなり、前記中枠Ｃを前記箱形底体Ｂの内部に載置し、前記中枠Ｃの上部に前記箱形蓋体Ａを被せた構成からなる中枠を備えた箱形展示台であって、前記箱形蓋体Ａ及び箱形底体Ｂは、組み立てた状態が、上面板ないしは底面版と高さがそれぞれ異なる一対の前後側面板と端縁が前記前後側面板の端縁間を結んで斜めに形成された他の一対の左右側面板とを備えた同一形状であり、前記箱形蓋体Ａ及び箱形底体Ｂは、展開した状態が同一形状の１枚の基材であり、側面板１と側面板２と側面板３と側面板４と貼合板５とが折罫を介して連接され、側面板１および側面板３の上端には折り曲げ可能に端縁の中央部に切欠１１を備えた内折込板６，８がそれぞれ連接されると共に、側面板２および側面板４の上端には折り曲げ可能に端縁の中央部に差込片１０を備えた外折込板７，９ がそれぞれ連接され、側面板１と側面板３の下側端縁は斜めに形成されると共に折重ね片１ａと折重ね片３ａがそれぞれ連接され、側面板２と側面板４の下端には折重ね片２ａと折重ね片４ａがそれぞれ連接されており、この展開した状態の基材を、側面板１，２，３，４の下端にそれぞれ連接された折重ね片１ａ、２ａ、３ａ、４ａを内側に折り曲げてそれぞれ側面板１，２，３，４の内面に接着した後、側面板１と側面板２間および側面板３と側面板４間の折罫にてそれぞれ折り曲げて、貼合板５を側面板１の側端部に接着して、筒状に成形し、側面板１と側面板４間および側面板２と側面板３間の折罫にてそれぞれ折り曲げて４角形筒状に起こし、内折込板６，８を先ず内側に折り込み次いで外折込板７，９を内折込板６，８の上に折り重ねて、内折込板６，８の切欠１１に差込片１０を差し込んで組み立てることにより、前記側面板２と前記側面板４が前後側面板を形成し、前記側面板１と前記側面板３が前記左右側面板を形成し、前記外折込板７，９が上面板ないしは底面板を形成することを特徴とする中枠を備えた箱形展示台である。この構成とすることにより、中枠の長さを変えることにより展示台の高さを任意に変化させることができると共に、十字状の中枠を使用するので座屈強度が大となり重量物を展示することが可能になる。また、箱形蓋体および箱形底体の表面、中枠の表面に印刷により絵柄を設けておくことにより、意匠性の優れた展示台とすることができる。
【０００５】
更に、箱形蓋体と箱形底体を兼用することができるので、組み立てが簡単になると共に、組み立てるための部品数を減らすことができるので、製造、保管、管理がやり易くなる。
【０００６】
上記の中枠を備えた箱形展示台において、前記箱形蓋体と前記箱形底体の前記前後側面板の高さの低い方を前面にくるように組み立てるか、ないしは前記箱形蓋体と前記箱形底体の前記左右側面板の対向する端縁が平行となるように組み立てた中枠を備えた箱形展示台とすることにより、展示台の外形に変化を持たせることが可能となり、箱形蓋体および箱形底体への印刷により意匠の多様化を図ることができるものである。
【０００７】
上記の中枠を備えた箱形展示台において、前記中枠Ｃが、巾方向の中央部に上端縁もしくは下端縁のいずれか一方から上下方向の中央に達する狭巾で長い切欠１４が形成されると共に巾方向の中央部に上端縁及び下端縁から上下方向に伸びる広巾で短い切欠１５が形成されており、前記狭巾で長い切欠１４同志を嵌合させることにより前記板体を十字状に組み立てて、この十字状に組み立てられた中枠Ｃを前記箱形底体Ｂの内部に載置し、前記中枠Ｃの上部に前記箱形蓋体Ａを被せることにより、前記広巾で短い切欠１４に前記箱形蓋体Ａないしは前記箱形底体Ｂの差込片１０が収納されることとすることにより、狭巾で長い切欠１４同志を嵌合させることにより２枚の板体を簡単に十字状の中枠Ｃに組み立てることができると共に、座屈強度の優れた展示台とすることかできる。
【０００８】
上記の中枠を備えた箱形展示台において、前記板体の両側端に所定の巾を有する折曲片が設けられた構成とすることにより、十字状に組み立てられた中枠の４方の側端部の折曲片を折り曲げて箱形蓋体と箱形底体とで組み立てることにより座屈強度がより一層優れた展示台とすることができるので、重量物の展示を行うことが可能となる。
【０００９】
【発明の実施の形態】
以下、図面を引用して本発明の実施の形態を説明する。
図１は本発明の第１実施形態を示す斜視図、図２は本発明の第２実施形態を示す斜視図、図３は箱形蓋体ないしは箱形底体の展開した状態を示す平面図、図４は箱形蓋体ないしは箱形底体の筒貼りが完了した状態を示す平面図、図５は箱形蓋体ないしは箱形底体の組み立てる状態を示す斜視図、図６は十字状の中枠を構成する板体を示す平面図、図７は組み立てた十字状の中枠を示す斜視図であり、１, ２, ３, ４は側面板、1a, 2a, 3a, 4aは折重ね片、５は貼合板、6, 8は内折込板、7, 9は外折込板、10は差込片、11, 14, 15は切欠、12は板体、13は折曲片、Ａは箱形蓋体、Ｂは箱形底体、Ｃは中枠をそれぞれ表す。
【００１０】
本発明の中枠を備えた箱形展示台の第１実施形態は、図１に示すとおり、上面板と前後左右側面板とからなる箱形蓋体Ａと、底面板と前後左右側面板とからなる箱形底体Ｂと、箱形蓋体Ａの高さと箱形底体Ｂの高さの合計と同じ長さを有する十字状の中枠Ｃとの３つの部品を組み合わせることにより組み立てられた箱形展示台である。箱形蓋体Ａおよび箱形底体Ｂは同一形状であつて、前後側面板はそれぞれ高さが異なると共に、左右側面板はその端縁が前後側面板の端縁間を結んで斜めに形成されている。第１実施形態は、前後側面板のうちの長さの短い方の側面板４を前面として組み立てた構成である。この場合、中枠Ｃが広い面積で表面に露出するので、中枠Ｃを構成する板体12の表面に所定の絵柄を印刷しておくことにより意匠性がよくなるので展示効果の優れたものとすることができる。第１実施形態においては、前後側面板のうちの長さの短い方の側面板４が前面にくるようにして使用したものであるが、前後を逆にして使用してもよい。
【００１１】
本発明の中枠を備えた箱形展示台の第２実施形態は、図２に示すとおり、第１実施形態と同様に、上面板と前後左右側面板とからなる箱形蓋体Ａと、底面板と前後左右側面板とからなる箱形底体Ｂと、箱形蓋体Ａの高さと箱形底体Ｂの高さの合計と同じ長さを有する十字状の中枠Ｃとの３つの部品を組み合わせることにより組み立てられた箱形展示台である。箱形蓋体Ａおよび箱形底体Ｂは、前後側面板はそれぞれ高さが異なると共に、左右側面板はその端縁が前後側面板の端縁間を結んで斜めに形成されている同一形状であり、箱形蓋体Ａは前後側面板のうちの長さの短い方の側面板４を前面とし、箱形底体Ｂは前後側面板のうちの長さの長い方の側面板２を前面として、箱形蓋体Ａと箱形底体Ｂの両側面板の端縁が互いに平行になるように組み立てられたものである。第２実施形態の場合、箱形蓋体Ａおよび箱形底体Ｂの側面板間に所定の長さで中枠Ｃが露出するので、側面板および中枠Ｃを構成する板体12の表面に所定の絵柄を印刷しておくことにより意匠性が優れ展示効果の優れた展示台とすることができる。第２実施形態においても、前後を逆転させて、箱形蓋体Ａは長い方の側面板を前面とし、箱形底体Ｂは短い方の側面板を前面とした状態で使用することができる。
【００１２】
本発明の中枠を備えた箱形展示台は、上面板と前後左右側面板とからなる箱形蓋体Ａと、底面板と前後左右側面板とからなる箱形底体Ｂと、少なくとも箱形蓋体Ａと箱形底体Ｂとの高さの合計と同じ長さを有する十字状の中枠Ｃとの３つの部品により組み立てられるものであり、箱形蓋体Ａと箱形底体Ｂは、前後側面板の長さが異なり且つ左右側面板はその端縁が前後側面板の端縁間を結んだ斜めに形成されている同一形状である。したがって、箱形蓋体Ａないしは箱形底体Ｂと、高さの異なる何種類かの中枠Ｃを準備しておくことにより、任意の高さを有し且つ外形の異なる展示台を組み立てることができると共に、板体12を２枚組み合わせた十字状の中枠Ｃを使用しているので座屈強度が優れたものとなり重量物の展示が可能となる。また、箱形蓋体Ａないしは箱形底体Ｂの側面板の形状および表面の印刷絵柄、中枠Ｃの長さおよび表面の印刷絵柄を任意に変化させて組み合わせることにより、意匠の多様化を図ることが可能であり展示効果の優れた箱形展示台とすることができるものである。
【００１３】
箱形蓋体Ａないしは箱形底体Ｂの展開した形状は、図３に示すように、側面板１と側面板２と側面板３と側面板４と貼合板５とが折罫を介して連接され、側面板１および側面板３の上端には折り曲げ可能に端縁の中央部に切欠11を備えた内折込板6,8 がそれぞれ連接されると共に、側面板２および側面板４の上端には折り曲げ可能に端縁の中央部に差込片10を備えた外折込板7,9 がそれぞれ連接され、側面板１と側面板３の下側端縁は斜めに形成されると共に折重ね片1aと折重ね片3aがそれぞれ連接され、側面板２と側面板４の下端には折重ね片2aと折重ね片4aがそれぞれ連接されている。
【００１４】
図３に示す展開した状態から、側面板1,2,3,4 の下端にそれぞれ連接された折重ね片1a,2a,3a,4a を内側に折り曲げてそれぞれ側面板1,2,3,4 の内面に接着した後、側面板１と側面板２間および側面板３と側面板４間の折罫にてそれぞれ折り曲げて、貼合板５を側面板１の側端部に接着して、図４に示すように、筒状に成形する。この筒貼りされた状態で箱形蓋体Ａないしは箱形底体Ｂとして保管される。箱形蓋体Ａないしは箱形底体Ｂを組み立てるには、図４に示す筒貼りした状態の箱形蓋体Ａないしは箱形底体Ｂを、側面板１と側面板４間および側面板２と側面板３間の折罫にてそれぞれ折り曲げて４角形筒状に起こし、内折込板6,8 を先ず内側に折り込み次いで外折込板7,9 を内折込板6,8 の上に折り重ねて、内折込板6,8 の切欠11に差込片10を差し込むことにより、図５に示す組み立てられた箱形蓋体Ａないしは箱形底体Ｂができあがる。
【００１５】
中枠を構成する板体12は、図６に示すように、長方形状であり、左右方向の中央部に上端縁から上下方向の中央部に達する長さの線状の切欠14が形成されると共に、左右方向の中央部の両端に所定長さの広巾の切欠15が形成され、両側端にはそれぞれ折曲片13が形成されている構成である。板体12の上下端縁の中央部に設けた広巾の切欠15は展示台を組み立てる際に箱形蓋体Ａないしは箱形底体Ｂの外折込板7,9 を固定するための差込片10を収納するためのものであり、板体12の両側端に形成されている折曲片13は、中枠Ｃの座屈強度を大きくするためのものである。
【００１６】
図６に示す形状の板体12を２枚使用し、上下を逆にして線状の切欠14を嵌合させて十字状に組むことにより、図７に示すように、中枠Ｃが組み立てられる。中枠Ｃが組み立てる際に板体12の両側端の折曲片13をそれぞれ互いに逆方向に折り曲げておくことにより、中枠Ｃを十字状に組み立てた際に、折曲片13が互いに対向するようになるので、展示台を組み立てた際に、折曲片13が左右の側面板の内面に沿うようになり、前面から見た意匠効果が優れたものとなる。
【００１７】
本発明の中枠を備えた箱形展示台を作製する素材としては、強度的に優れた厚手の板紙ないしは各種の段ボールが適当である。意匠効果、展示効果を高めるために、表面には予め適当な絵柄が印刷により設けられたものを使用する。板紙を使用する場合には紙目が、段ボールを使用する場合には波形の方向が、中枠の上下方向ないしは箱形蓋体および箱形底体の側面板の上下方向と一致するように設計することにより座屈強度を更にアップできる。また、板紙ないしは段ボールの表面にプラスチックフイルムを貼合した構成のものを使用することもできる。その構成とすることにより、表面の光沢が優れたものとなるので、一層印刷絵柄が引き立ち優れた意匠性が得られると共に、表面が耐水性を有するので雨濡れ等によっても劣化することのない展示台とすることができる。
【００１８】
【発明の効果】
上面板ないしは底面板と４枚の側面板とからなる四角形状の箱形蓋体ないしは箱形底体と、少なくとも箱形蓋体の高さと箱形底体の高さを合計した長さを有する十字状の中枠とからなり、中枠を箱形底体の内部に載置し、中枠の上部に箱形蓋体を被せた構成の中枠を備えた箱形展示台とすることにより、中枠の長さを変えることにより展示台の高さを任意に変化させることができると共に、十字状の中枠を使用するので座屈強度が大となり重量物を展示することが可能になる。また、箱形蓋体および箱形底体の表面、中枠の表面に印刷により絵柄を設けておくことにより、意匠性の優れた展示台とすることができる。
上記の中枠を備えた箱形展示台において、箱形蓋体と箱形底体を、高さがそれぞれ異なる一対の前後側面板と端縁が前後側面板の端縁間を結んで斜めに形成された他の一対の左右側面板とを備えた同一形状とすることにより、箱形蓋体と箱形底体を兼用することができるので、組み立てが簡単になると共に、組み立てるための部品数を減らすことができ製造、保管、管理がやり易くなる。
上記の中枠を備えた箱形展示台において、箱形蓋体と箱形底体の前後側面板の高さの低い方を前面にくるように組み立てるか、ないしは箱形蓋体と箱形底体の左右側面板の対向する端縁が平行となるように組み立てた中枠を備えた箱形展示台とすることにより、展示台の外形に変化を持たせることが可能となり、箱形蓋体、箱形底体、中枠の表面に印刷により絵柄を形成することにより意匠の多様化を図ることができるものである。
上記の中枠を備えた箱形展示台において、中枠を、巾方向の中央部に上端縁もしはく下端縁のいずれか一方から上下方向の中央に達する切欠が形成された２枚の板体からなり、切欠同志を嵌合させることにより前記板体を十字状に組み立てた構成とすることにより、線状切欠同志を嵌合させることにより、２枚の板体を簡単に十字状の中枠に組み立てることができると共に、座屈強度の優れた展示台とすることかできる。
上記の中枠を備えた箱形展示台において、板体の両側端に所定の巾を有する折曲片を設けた構成とすることにより、十字状に組み立てられた中枠の４方の側端部の折曲片により座屈強度がより一層優れた展示台とすることができるので、重量物の展示を行うことが可能となる。
【図面の簡単な説明】
【図１】本発明の第１実施形態を示す斜視図。
【図２】本発明の第２実施形態を示す斜視図。
【図３】箱形蓋体ないしは箱形底体の展開した状態を示す平面図。
【図４】箱形蓋体ないしは箱形底体の筒貼りが完了した状態を示す平面図。
【図５】箱形蓋体ないしは箱形底体の組み立てる状態を示す斜視図。
【図６】十字状の中枠を構成する板体を示す平面図。
【図７】組み立てた十字状の中枠を示す斜視図。
【符号の説明】
１, ２, ３, ４  側面板              12  板体
1a, 2a, 3a, 4a  折重ね片            13  折曲片
５  貼合板                          Ａ  箱形蓋体
6, 8  内折込板                      Ｂ  箱形底体
7, 9  外折込板                      Ｃ  中枠
10  差込片
11, 14, 15  切欠
【図１】
0004121585.tif 000002
【図２】
0004121585.tif 000003
【図３】
0004121585.tif 000004
【図４】
0004121585.tif 000005
【図５】
0004121585.tif 000006
【図６】
0004121585.tif 000007
【図７】
0004121585.tif 000008